(57)【要約】【課題】遺伝子解析会社と医療機関との間の連携がより効率的に行われるようになることが望ましい。【解決手段】所定の情報を取得するデータ取得部と、前記所定の情報に被験者の個人情報が設定されているか否かを判定する判定部と、前記所定の情報に前記被験者の前記個人情報が設定されていないと判定された場合、前記被験者のサービス利用時に必要となる利用者識別情報を医療機関端末に対して提供する識別情報提供部と、を備える、情報処理装置が提供される。【選択図】図１
2016076004.tif 000002
【特許請求の範囲】
【請求項１】
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を医療機関端末に対して提供する識別情報提供部と、
を備える、情報処理装置。
【請求項２】
前記所定の情報は、少なくとも前記被験者から採取された検体を識別するための検体識別情報を含む、
請求項１に記載の情報処理装置。
【請求項３】
前記識別情報提供部は、前記利用者識別情報とともに前記検体識別情報を前記医療機関端末に提供する、
請求項２に記載の情報処理装置。
【請求項４】
前記情報処理装置は、
前記所定の情報に前記被験者の前記個人情報が設定されていると判定された場合、前記被験者のサービス利用時に必要となる利用者識別情報の郵送先情報を生成する郵送先生成部を備える、
請求項１に記載の情報処理装置。
【請求項５】
前記個人情報は、少なくとも前記被験者の住所情報を含む、
請求項４に記載の情報処理装置。
【請求項６】
前記郵送先生成部は、前記個人情報から抽出された前記住所情報に基づいて前記郵送先情報を生成する、
請求項５に記載の情報処理装置。
【請求項７】
前記情報処理装置は、
前記所定の情報に前記被験者の前記個人情報が設定されていないと判定された場合、前記個人情報を含まない遺伝子解析結果を前記医療機関端末に対して提供する解析結果提供部を備える、
請求項１に記載の情報処理装置。
【請求項８】
前記解析結果提供部は、前記所定の情報に前記被験者の前記個人情報が設定されていると判定された場合、前記個人情報を含んだ前記遺伝子解析結果を前記医療機関端末に対して提供する、
請求項７に記載の情報処理装置。
【請求項９】
前記情報処理装置は、
検査機関端末から取得された遺伝子情報を解析することによって前記遺伝子解析結果を取得する解析部を備える、
請求項７に記載の情報処理装置。
【請求項１０】
前記解析部は、前記遺伝子情報に設定されている検体識別情報を前記遺伝子解析結果に含める、
請求項９に記載の情報処理装置。
【請求項１１】
前記遺伝子情報は、前記被験者から採取された検体が有する遺伝子を特定するための情報を含む、
請求項９に記載の情報処理装置。
【請求項１２】
前記遺伝子解析結果は、少なくとも前記被験者の所定の病気への掛かり易さを示す情報を含む、
請求項７に記載の情報処理装置。
【請求項１３】
前記情報処理装置は、
被験者端末から前記利用者識別情報を含むサービス利用要求が受信された場合、前記被験者端末に前記サービスを提供するサービス提供部を備える、
請求項１に記載の情報処理装置。
【請求項１４】
前記被験者端末に提供される前記サービスは、少なくとも前記被験者端末への遺伝子解析結果の送信を含む、
請求項１３に記載の情報処理装置。
【請求項１５】
前記情報処理装置は、
前記被験者端末から前記利用者識別情報および暗証情報を含むユーザ登録要求が受信された場合、前記利用者識別情報および前記暗証情報を登録するユーザ登録部を備え、
前記サービス提供部は、前記利用者識別情報および前記暗証情報を含む前記サービス利用要求が受信された場合、前記被験者端末に前記サービスを提供する、
請求項１３に記載の情報処理装置。
【請求項１６】
所定の情報を取得することと、
前記所定の情報に被験者の個人情報が設定されているか否かを判定することと、
前記所定の情報に前記被験者の前記個人情報が設定されていないと判定された場合、前記被験者のサービス利用時に必要となる利用者識別情報を医療機関端末に対して提供することと、
を含む、情報処理方法。
【請求項１７】
コンピュータを、
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を医療機関端末に対して提供する識別情報提供部と、
を備える情報処理装置として機能させるためのプログラム。
【請求項１８】
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を提供する識別情報提供部と、
を備える、情報処理装置と、
前記情報処理装置から前記利用者識別情報を受信する通信部、
を備える、医療機関端末と、
前記利用者識別情報を含むサービス利用要求を前記情報処理装置に送信する通信部、
を備える、被験者端末と、
を有する、情報処理システム。
【発明の詳細な説明】
【技術分野】
【０００１】
本開示は、情報処理装置、情報処理方法、プログラムおよび情報処理システムに関する。
【背景技術】
【０００２】
近年、被験者から採取された検体から遺伝子情報を読み取り、読み取った遺伝子情報を解析することによって遺伝子解析結果を取得し、取得した遺伝子解析結果を被験者に提供する遺伝子解析サービスが提供されている。かかる遺伝子解析サービスでは、被験者と遺伝子解析会社とが直接やり取りをする形態（ＤＴＣ：Ｄｉｒｅｃｔ  Ｔｏ  Ｃｏｎｓｕｍｅｒ）が主に採用されている。【０００３】
かかる形態においては、被験者が検査キットに同梱されているバーコードを使って行ったユーザ登録に基づいて被験者への遺伝子解析サービスの提供を可能とする技術が存在する。また、あらかじめ被験者に検体ＩＤと認証情報とを渡しておくことによって、検体ＩＤと認証情報とを有する被験者への遺伝子解析サービスの提供を可能とする技術が開示されている（例えば、特許文献１参照）。
【先行技術文献】
【特許文献】
【０００４】
【特許文献１】特開２００９−８７２９４号公報
【発明の概要】
【発明が解決しようとする課題】
【０００５】
しかし、このような遺伝子解析会社から提供される遺伝子解析サービスだけではなく、医療機関の専門家によるコンサルテーションサービスも被験者が受けられるようになるのが望ましい。このとき、遺伝子解析会社と医療機関との間の連携がより効率的に行われるようになることが望ましい。
【課題を解決するための手段】
【０００６】
本開示によれば、所定の情報を取得するデータ取得部と、前記所定の情報に被験者の個人情報が設定されているか否かを判定する判定部と、前記所定の情報に前記被験者の前記個人情報が設定されていないと判定された場合、前記被験者のサービス利用時に必要となる利用者識別情報を医療機関端末に対して提供する識別情報提供部と、を備える、情報処理装置が提供される。【０００７】
また、本開示によれば、所定の情報を取得することと、前記所定の情報に被験者の個人情報が設定されているか否かを判定することと、前記所定の情報に前記被験者の前記個人情報が設定されていないと判定された場合、前記被験者のサービス利用時に必要となる利用者識別情報を医療機関端末に対して提供することと、を含む、情報処理方法が提供される。【０００８】
また、本開示によれば、コンピュータを、所定の情報を取得するデータ取得部と、前記所定の情報に被験者の個人情報が設定されているか否かを判定する判定部と、前記所定の情報に前記被験者の前記個人情報が設定されていないと判定された場合、前記被験者のサービス利用時に必要となる利用者識別情報を医療機関端末に対して提供する識別情報提供部と、を備える情報処理装置として機能させるためのプログラムが提供される。【０００９】
所定の情報を取得するデータ取得部と、前記所定の情報に被験者の個人情報が設定されているか否かを判定する判定部と、前記所定の情報に前記被験者の前記個人情報が設定されていないと判定された場合、前記被験者のサービス利用時に必要となる利用者識別情報を提供する識別情報提供部と、を備える、情報処理装置と、前記情報処理装置から前記利用者識別情報を受信する通信部、を備える、医療機関端末と、前記利用者識別情報を含むサービス利用要求を前記情報処理装置に送信する通信部、を備える、被験者端末と、を有する、情報処理システムが提供される。
【発明の効果】
【００１０】
以上説明したように本開示によれば、遺伝子解析会社と医療機関との間の連携がより効率的に行われるようになり得る。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の実施形態において想定されるサービスの全体像について説明するための図である。
【図２】同実施形態に係る実施主体における処理の流れを説明するための図である。
【図３】ＧＷＡＳについて具体的に説明するための図である。
【図４】キュレーションＤＢの構成例を示す図である。
【図５】遺伝子情報の構成例を示す図である。
【図６】遺伝子解析レポートの構成例を示す図である。
【図７】本開示の実施形態に係る情報処理装置の機能構成例を示す図である。
【図８】同実施形態に係る医療機関端末の機能構成例を示す図である。
【図９】同実施形態に係る検査機関端末の機能構成例を示す図である。
【図１０】同実施形態に係る被験者端末の機能構成例を示す図である。
【図１１】医療機関から遺伝子解析会社に個人情報が受け渡されない場合におけるデータの流れを示す図である。
【図１２】医療機関から遺伝子解析会社に個人情報が受け渡されない場合における情報処理システムの動作の流れを示すシーケンス図である。
【図１３】医療機関から遺伝子解析会社に個人情報が受け渡される場合におけるデータの流れを示す図である。
【図１４】医療機関から遺伝子解析会社に個人情報が受け渡される場合における情報処理システムの動作の流れを示すシーケンス図である。
【図１５】本開示の実施形態の応用例における情報処理システムの動作の流れを示すシーケンス図である。
【図１６】同実施形態に係る情報処理装置のハードウェア構成例を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００１４】
なお、説明は以下の順序で行うものとする。
１．実施形態
１−０．情報処理システムの概要の概要
１−１．実施主体における処理の流れ
１−２．情報処理装置の機能構成例
１−３．医療機関端末の機能構成例
１−４．検査機関端末の機能構成例
１−５．被験者端末の機能構成例
１−６．情報処理システムの機能詳細
１−７．ハードウェア構成例
２．むすび
【００１５】
＜＜１．実施形態＞＞
［１−０．情報処理システムの概要］
最初に、本開示の実施形態に係る情報処理システムの概要について説明する。近年、被験者から採取された検体から遺伝子情報を読み取り、読み取った遺伝子情報を解析することによって遺伝子解析結果を取得し、取得した遺伝子解析結果を被験者に提供する遺伝子解析サービスが提供されている。かかる遺伝子解析サービスでは、被験者と遺伝子解析会社とが直接やり取りをする形態（ＤＴＣ：Ｄｉｒｅｃｔ  Ｔｏ  Ｃｏｎｓｕｍｅｒ）が主に採用されている。
【００１６】
かかる形態においては、被験者が検査キットに同梱されているバーコードを使って行ったユーザ登録に基づいて被験者への遺伝子解析サービスの提供を可能とする技術が存在する。また、あらかじめ被験者に検体ＩＤと認証情報とを渡しておくことによって、検体ＩＤと認証情報とを有する被験者への遺伝子解析サービスの提供を可能とする技術が開示されている（例えば、特許文献１参照）。
【００１７】
かかる形態においては、被験者が唾液を自ら検体として採取して遺伝子解析会社に郵送すればよいため、被験者を拘束する時間がさほど多くないというメリットがある。また、遺伝子解析会社からインターネットを経由して被験者に頻繁に遺伝子解析の状況を通知できるというメリットがある。しかし、かかる形態においては、以下に示すようなデメリットもある。
【００１８】
まず、一つ目として、かかる形態においては、医療機関の専門家が被験者と対面してカウンセリングを行うわけではないため、遺伝子解析結果の解釈が被験者によって異なる可能性がある。そのため、被験者が不安を感じて予防的処置を行わない病院に駆け込んでしまう事態が発生する可能性がある。
【００１９】
また、二つ目として、医療機関に存在する検診結果やカルテ（病歴、処置など）の内容を考慮した遺伝子解析サービスを被験者に提供できないというデメリットもある。さらに、三つ目として、遺伝子解析結果として、被験者の薬剤応答性に関するレポートが得られたとしても、そのレポートを活用するのが難しいというデメリットがある。
【００２０】
このようなデメリットを有することから、上記の形態における遺伝子解析サービスは、生活習慣や食生活を見直すきっかけを被験者に与えるという域から逃れることができない。そこで、本明細書においては、このような遺伝子解析会社から提供される遺伝子解析サービスだけではなく、医療機関の専門家によるコンサルテーションサービスも被験者が受けられるようになる技術を提案する。また、本明細書においては、遺伝子解析会社と医療機関との間の連携をより効率的に行うための技術について提案する。
【００２１】
まず、図１を参照しながら、本開示の実施形態において想定されるサービスの全体像について説明する。図１は、本開示の実施形態において想定されるサービスの全体像について説明するための図である。図１に示すように、まず、医療機関の専門家は、医療機関を訪れた被験者にサービスの事前説明を行う（Ｓ１）。事前説明は、どのようなタイミングで行われてもよいが、検診や人間ドックのオプションとして案内されてもよい。また、事前説明においては、専門家によるサービス内容の説明、被験者によるゲノム情報／通常検診結果の研究利用への同意などが行われてよい。
【００２２】
事前説明が終わると、医療機関においては、被験者から試料（検体）が採取される（Ｓ２）。続いて、本開示の実施形態における一つの特徴的な構成でもある実施主体（例えば、後に説明する例では、「遺伝子解析会社」および「検査ラボ」に該当し得る。以下、単に「実施主体」とも言う。）によって、被験者の試料（検体）に対するゲノム解析が行われる（Ｓ３）。ゲノム解析によって被験者のゲノム情報が読み取られる。続いて、実施主体によってゲノム解析結果（ゲノム情報）に対する解釈がなされ（Ｓ４）、その解釈結果が実施主体から医療機関に提供される。
【００２３】
例えば、実施主体による解釈結果は、以下のようにして生成される。まず、実施主体によって、ゲノム情報に対するゲノムキュレーション（Ｓ５）と被験者の健診情報を活かす解釈（Ｓ６）とが行われ、ゲノムキュレーションと健診情報を活かす解釈とを含んだゲノム解釈結果レポートが実施主体による解釈結果として生成される。ゲノム解釈結果レポートは、医療機関に提供される。また、ゲノム解釈結果レポートは、後に利用され得るように実施主体においてデータとして蓄積されてよい（Ｓ８）。
【００２４】
続いて、医療機関においては、専門家によって実施主体による解釈結果が被験者に説明され、実施主体による解釈結果に応じた専門家による被験者へのコンサルテーションがなされ得る。図１に示したような形態によって、本開示の実施形態によれば、単なる遺伝子解析サービスだけではなく、実施主体による解釈結果に基づいて医療機関の専門家によるコンサルテーションサービスも被験者が受けられるようにすることが可能である。
【００２５】
続いて、本開示の実施形態によって被験者が享受し得るメリットの全体像について説明する。まず、ゲノム健診（ゲノム情報に基づく健診）初回においては、被験者の試料（検体）から読み取られたゲノム情報がゲノム健康情報プラットフォーム（被験者のゲノム情報に基づいて被験者の健康を管理するためのプラットフォーム）のゲノムＤＢに蓄積される。
【００２６】
また、ゲノム健康情報プラットフォームによって生成されたゲノム解釈結果レポートが医師へのレポートとして医師に提供される。このようにして提供された医師へのレポートに基づいて、医療機関においては、医師によるゲノム情報に基づいた疾患リスクの把握と保健指導とがなされる。ゲノム初回健診の時期は特に限定されない。
【００２７】
続いて、継続的なサービスとして、被験者の健診時において、疾病リスクに応じた重点検査の継続、疾病リスクに応じた保健指導の継続、健診結果の変化による適切な介入などが被験者に対して行われ得る。継続的なサービスが行われる時期は特に限定されない。このときに得られた健診データとゲノムＤＢに蓄積されているゲノム情報とに基づいて予防疫学ＤＢから得られる疾病に対する予防法などは、被験者個人の保健指導に役立てられ得る。
【００２８】
このようにして、本開示の実施形態によれば、継続的なサービスとして、個別化された健康管理を被験者に提供することが可能である。また、ゲノム健康情報プラットフォームに蓄積されたデータ（例えば、ゲノム情報、健診データなど）は、研究に利用することが可能であり、研究利用の成果を被験者へのサービス向上に繋げることが可能である。また、このような継続的なサービスは、ヘルスケアイベントに応じて医療との連携を行うことが可能である。
【００２９】
［１−１．実施主体における処理の流れ］
続いて、上記の実施主体における処理の流れについて説明する。図２は、本開示の実施形態に係る実施主体における処理の流れを説明するための図である。図２に示すように、ＧＷＡＳ（Ｇｅｎｏｍｅ  Ｗｉｄｅ  Ａｓｓｏｃｉａｔｉｏｎ  Ｓｔｕｄｙ）結果Ｊ１がキュレーションＤＢ（Ｊ２）に反映される。ここで、ＧＷＡＳは、ある集団間におけるＳＮＰ（Ｓｉｎｇｌｅ  Ｎｕｃｌｅｏｔｉｄｅ  Ｐｏｌｙｍｏｒｐｈｉｓｍ）の頻度の差を全ゲノム領域について調べる手法に相当し得る。また、ある生物種集団のゲノム塩基配列中に一塩基が変異した多様性が見られ、その変異が集団内で１％以上の頻度で見られるとき、これを一塩基多型（ＳＮＰ）という。
【００３０】
ＧＷＡＳについて図３を参照しながら具体的に説明する。図３は、ＧＷＡＳについて具体的に説明するための図である。なお、図３は、ｈｔｔｐ：／／ｗｗｗ．ｉｍｓ．ｕ−ｔｏｋｙｏ．ａｃ．ｊｐ／ｎａｋａｍｕｒａ／ｍａｔｓｕｄａ／ｐａｇｅ３．ｈｔｍｌに公開されている内容から一部を抜粋した図である。図３に示すように、ある塩基についてはＧ型の人のほうがＡ型の人よりもある病気になり易いという知見が得られているとする。このような知見がＧＷＡＳとしてキュレーションＤＢ（Ｊ２）に反映される。なお、ある程度以上確証性の高いＧＷＡＳだけが、キュレーションＤＢ（Ｊ２）に反映されてもよい。
【００３１】
キュレーションＤＢ（Ｊ２）について図４を参照しながら具体的に説明する。図４は、キュレーションＤＢの構成例を示す図である。図４に示すように、キュレーションデータは、「Ｄｉｓｅａｓｅ」、「ＳＮＰ  ｉｄ」、「Ｏｄｄｓ  Ｒａｔｉｏ」、「Ｒｉｓｋ  Ａｌｌｅｌｅ」、「Ａｌｌｅｌｅ  Ｆｒｅｑｕｅｎｃｙ」および「Ｐａｐｅｒ  ｉｄ」などを項目として有してよい。ここで、「Ｏｄｄｓ  Ｒａｔｉｏ」は、ある事象の起こり易さを２つの群で比較して示す統計学的な尺度に相当し得る。また、「Ｐａｐｅｒ  ｉｄ」は、キュレーションデータが記載された論文に関するテーブル（Ｐａｐｅｒ  Ｉｎｆｏｒｍａｔｉｏｎ  Ｔａｂｌｅ）のｉｄである。
【００３２】
図２に戻って説明を続ける。図２に示すように、キュレーションＤＢ（Ｊ２）に蓄積されているキュレーションデータは、遺伝子解析プログラムＰ１に与えられる。一方、図２に示すように、被験者から得られた検体Ａ１は、検査ラボ３０において解析がなされ、検体Ａ１が解析された結果として遺伝子情報Ｊ３が得られる。遺伝子情報Ｊ３について図５を参照しながら具体的に説明する。図５は、遺伝子情報Ｊ３の構成例を示す図である。
【００３３】
図５に示すように、遺伝子情報Ｊ３は、「ＳＮＰ  ｉｄ」、「Ｃｈｒｏｍｏｓｏｍｅ」、「Ｐｏｓｉｔｉｏｎ」および「Ｇｅｎｏｔｙｐｅ」などを項目として有していてよい。なお、遺伝子情報Ｊ３の構成は、図５に示した例に限定されない。例えば、遺伝子情報Ｊ３は、被験者から採取された検体が有する遺伝子を特定するための情報（例えば、遺伝子が存在するＣｈｒｏｍｏｓｏｍｅ、Ｃｈｒｏｍｏｓｏｍｅにおける遺伝子のＰｏｓｉｔｉｏｎおよびＧｅｎｏｔｙｐｅなど）を含んでいればよい。
【００３４】
図２に戻って説明を続ける。このようにして得られた遺伝子情報Ｊ３も遺伝子解析プログラムＰ１に与えられる。遺伝子解析プログラムＰ１においては、遺伝子情報Ｊ３とキュレーションデータとに基づいて遺伝子解析レポートＪ４が生成される。遺伝子解析レポートＪ４の構成例について図６を参照しながら説明する。図６は、遺伝子解析レポートＪ４の構成例を示す図である。図６に示すように、例えば、遺伝子解析レポートＪ４は、被験者の所定の病気（図６に示した例では、大腸がん）への掛かり易さを示す情報を含んでいてよい。
【００３５】
例えば、このようにして生成された遺伝子解析レポートＪ４は、上記したように、医療機関に提供され、医療機関において、専門家による遺伝子解析レポートＪ４に基づいた疾患リスクの把握と保健指導とがなされてよい。また、遺伝子解析レポートＪ４は、被験者がユーザ登録を行うことによって直接的に被験者によって取得されてもよい。以上、実施主体における処理の流れについて説明した。
【００３６】
［１−２．情報処理装置の機能構成例］
続いて、本開示の実施形態に係る情報処理装置１０の機能構成例について説明する。図７は、本開示の実施形態に係る情報処理装置１０の機能構成例を示す図である。図７に示すように、情報処理装置１０は、入力部１１０、記憶部１２０、制御部１３０、通信部１８０および出力部１９０を備える。
【００３７】
入力部１１０は、ユーザによる操作を受け付け、受け付けた操作を制御部１３０に出力する。入力部１１０はタッチパネルによって構成されてもよいし、タッチパネル以外のハードウェアにより構成されていてもよい。なお、図７に示した例では、入力部１１０は情報処理装置１０と一体化されているが、入力部１１０は、情報処理装置１０と別体に構成されていてもよい。
【００３８】
記憶部１２０は、半導体メモリまたはハードディスクなどの記憶媒体を用いて、制御部１３０を動作させるためのプログラムを記憶する。また、例えば、記憶部１２０は、プログラムによって使用される各種のデータ（例えば、各種の設定情報、コンテンツなど）を記憶することもできる。なお、図７に示した例では、記憶部１２０は情報処理装置１０と一体化されているが、記憶部１２０は情報処理装置１０と別体に構成されていてもよい。
【００３９】
制御部１３０は、例えば、ＣＰＵ（Ｃｅｎｔｒａｌ  Ｐｒｏｃｅｓｓｉｎｇ  Ｕｎｉｔ）などのプロセッサに相当し得る。制御部１３０がＣＰＵなどのプロセッサに相当する場合、かかるプロセッサは、電子回路により構成され得る。制御部１３０は、記憶部１２０または他の記憶媒体に記憶されるプログラムを実行することにより、制御部１３０が有する様々な機能を発揮する。
【００４０】
通信部１８０は、ネットワークを介して他の装置と通信を行うことが可能である。ここで、通信部１８０による通信の形式は特に限定されず、通信部１８０による通信は、無線による通信であってもよいし、有線による通信であってもよい。なお、図７に示した例では、通信部１８０は情報処理装置１０と一体化されているが、通信部１８０は、情報処理装置１０と別体に構成されていてもよい。
【００４１】
出力部１９０は、制御部１３０による制御に従って、各種情報の出力を行う。出力部１９０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図７に示した例では、出力部１９０は情報処理装置１０と一体化されているが、出力部１９０は情報処理装置１０と別体に構成されていてもよい。
【００４２】
［１−３．医療機関端末の機能構成例］
続いて、本開示の実施形態に係る医療機関端末２０の機能構成例について説明する。図８は、本開示の実施形態に係る医療機関端末２０の機能構成例を示す図である。図８に示すように、医療機関端末２０は、入力部２１０、記憶部２２０、制御部２３０、通信部２８０および出力部２９０を備える。
【００４３】
入力部２１０は、ユーザによる操作を受け付け、受け付けた操作を制御部２３０に出力する。入力部２１０はタッチパネルによって構成されてもよいし、タッチパネル以外のハードウェアにより構成されていてもよい。なお、図８に示した例では、入力部２１０は医療機関端末２０と一体化されているが、入力部２１０は、医療機関端末２０と別体に構成されていてもよい。
【００４４】
記憶部２２０は、半導体メモリまたはハードディスクなどの記憶媒体を用いて、制御部２３０を動作させるためのプログラムを記憶する。また、例えば、記憶部２２０は、プログラムによって使用される各種のデータ（例えば、各種の設定情報、コンテンツなど）を記憶することもできる。なお、図８に示した例では、記憶部２２０は医療機関端末２０と一体化されているが、記憶部２２０は医療機関端末２０と別体に構成されていてもよい。
【００４５】
制御部２３０は、例えば、ＣＰＵ（Ｃｅｎｔｒａｌ  Ｐｒｏｃｅｓｓｉｎｇ  Ｕｎｉｔ）などのプロセッサに相当し得る。制御部２３０がＣＰＵなどのプロセッサに相当する場合、かかるプロセッサは、電子回路により構成され得る。制御部２３０は、記憶部２２０または他の記憶媒体に記憶されるプログラムを実行することにより、制御部２３０が有する様々な機能を発揮する。
【００４６】
通信部２８０は、ネットワークを介して他の装置と通信を行うことが可能である。ここで、通信部２８０による通信の形式は特に限定されず、通信部２８０による通信は、無線による通信であってもよいし、有線による通信であってもよい。なお、図８に示した例では、通信部２８０は医療機関端末２０と一体化されているが、通信部２８０は、医療機関端末２０と別体に構成されていてもよい。
【００４７】
出力部２９０は、制御部２３０による制御に従って、各種情報の出力を行う。出力部２９０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図８に示した例では、出力部２９０は医療機関端末２０と一体化されているが、出力部２９０は医療機関端末２０と別体に構成されていてもよい。
【００４８】
［１−４．検査機関端末の機能構成例］
続いて、本開示の実施形態に係る検査機関端末３０の機能構成例について説明する。図９は、本開示の実施形態に係る検査機関端末３０の機能構成例を示す図である。図９に示すように、検査機関端末３０は、入力部３１０、記憶部３２０、制御部３３０、通信部３８０および出力部３９０を備える。
【００４９】
入力部３１０は、ユーザによる操作を受け付け、受け付けた操作を制御部３３０に出力する。入力部３１０はタッチパネルによって構成されてもよいし、タッチパネル以外のハードウェアにより構成されていてもよい。なお、図９に示した例では、入力部３１０は検査機関端末３０と一体化されているが、入力部３１０は、検査機関端末３０と別体に構成されていてもよい。
【００５０】
記憶部３２０は、半導体メモリまたはハードディスクなどの記憶媒体を用いて、制御部３３０を動作させるためのプログラムを記憶する。また、例えば、記憶部３２０は、プログラムによって使用される各種のデータ（例えば、各種の設定情報、コンテンツなど）を記憶することもできる。なお、図９に示した例では、記憶部３２０は検査機関端末３０と一体化されているが、記憶部３２０は検査機関端末３０と別体に構成されていてもよい。
【００５１】
制御部３３０は、例えば、ＣＰＵ（Ｃｅｎｔｒａｌ  Ｐｒｏｃｅｓｓｉｎｇ  Ｕｎｉｔ）などのプロセッサに相当し得る。制御部３３０がＣＰＵなどのプロセッサに相当する場合、かかるプロセッサは、電子回路により構成され得る。制御部３３０は、記憶部３２０または他の記憶媒体に記憶されるプログラムを実行することにより、制御部３３０が有する様々な機能を発揮する。
【００５２】
通信部３８０は、ネットワークを介して他の装置と通信を行うことが可能である。ここで、通信部３８０による通信の形式は特に限定されず、通信部３８０による通信は、無線による通信であってもよいし、有線による通信であってもよい。なお、図９に示した例では、通信部３８０は検査機関端末３０と一体化されているが、通信部３８０は、検査機関端末３０と別体に構成されていてもよい。
【００５３】
出力部３９０は、制御部３３０による制御に従って、各種情報の出力を行う。出力部３９０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図９に示した例では、出力部３９０は検査機関端末３０と一体化されているが、出力部３９０は検査機関端末３０と別体に構成されていてもよい。
【００５４】
［１−５．被験者端末の機能構成例］
続いて、本開示の実施形態に係る被験者端末４０の機能構成例について説明する。図１０は、本開示の実施形態に係る被験者端末４０の機能構成例を示す図である。図１０に示すように、被験者端末４０は、入力部４１０、記憶部４２０、制御部４３０、通信部４８０および出力部４９０を備える。
【００５５】
入力部４１０は、ユーザによる操作を受け付け、受け付けた操作を制御部４３０に出力する。入力部４１０はタッチパネルによって構成されてもよいし、タッチパネル以外のハードウェアにより構成されていてもよい。なお、図１０に示した例では、入力部４１０は被験者端末４０と一体化されているが、入力部４１０は、被験者端末４０と別体に構成されていてもよい。
【００５６】
記憶部４２０は、半導体メモリまたはハードディスクなどの記憶媒体を用いて、制御部４３０を動作させるためのプログラムを記憶する。また、例えば、記憶部４２０は、プログラムによって使用される各種のデータ（例えば、各種の設定情報、コンテンツなど）を記憶することもできる。なお、図１０に示した例では、記憶部４２０は被験者端末４０と一体化されているが、記憶部４２０は被験者端末４０と別体に構成されていてもよい。
【００５７】
制御部４３０は、例えば、ＣＰＵ（Ｃｅｎｔｒａｌ  Ｐｒｏｃｅｓｓｉｎｇ  Ｕｎｉｔ）などのプロセッサに相当し得る。制御部４３０がＣＰＵなどのプロセッサに相当する場合、かかるプロセッサは、電子回路により構成され得る。制御部４３０は、記憶部４２０または他の記憶媒体に記憶されるプログラムを実行することにより、制御部４３０が有する様々な機能を発揮する。
【００５８】
通信部４８０は、ネットワークを介して他の装置と通信を行うことが可能である。ここで、通信部４８０による通信の形式は特に限定されず、通信部４８０による通信は、無線による通信であってもよいし、有線による通信であってもよい。なお、図１０に示した例では、通信部４８０は被験者端末４０と一体化されているが、通信部４８０は、被験者端末４０と別体に構成されていてもよい。
【００５９】
出力部４９０は、制御部４３０による制御に従って、各種情報の出力を行う。出力部４９０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図１０に示した例では、出力部４９０は被験者端末４０と一体化されているが、出力部４９０は被験者端末４０と別体に構成されていてもよい。
【００６０】
［１−６．情報処理システムの機能詳細］
続いて、遺伝子解析会社と医療機関との間の連携をより効率的に行うための技術について説明する。まず、医療機関から遺伝子解析会社に個人情報が受け渡されない場合について、図１１および図１２を参照しながら説明する。図１１は、医療機関から遺伝子解析会社に個人情報が受け渡されない場合におけるデータの流れを示す図である。また、図１２は、医療機関から遺伝子解析会社に個人情報が受け渡されない場合における情報処理システムの動作の流れを示すシーケンス図である。
【００６１】
なお、図１１および図１２において、遺伝子解析会社１０、医療機関２０、検査ラボ３０および被験者４０と記載されている箇所のうち、情報処理装置１０、医療機関端末２０、検査機関端末３０および被験者端末４０が実際に動作する箇所については、適宜に情報処理装置１０、医療機関端末２０、検査機関端末３０および被験者端末４０の動作として以下に記載する。また、図１１において、遺伝子解析会社１０が有する各機能部は、情報処理装置１０の制御部１３０が有している。
【００６２】
まず、被験者（健診時）４０−１は、医療機関２０において遺伝子解析の受け付けを済ませる（Ｓ１１）。このとき、被験者４０−１の個人情報が医療機関２０に提出される。医療機関端末２０においては、提出された個人情報が入力部２１０によって入力される。また、制御部２３０によって、被験者４０−１に向けて患者ＩＤが発行され、患者ＩＤと個人情報とが対応付けられる（Ｓ１２）。続いて、医療機関２０によって、患者ＩＤが付された診察券が被験者４０−１に手渡され（Ｓ１３）、医療機関２０によって被験者４０−１に遺伝子解析の事前説明が行われる（Ｓ１４）。
【００６３】
続いて、被験者４０−１から医療機関２０に同意書が提出されると（Ｓ１５）、医療機関端末２０においては、提出された同意書に含まれる同意条件が入力部２１０によって入力される。また、入力部２１０によって入力された被験者４０−１の健診情報は、医療機関端末２０の記憶部２２０によって記憶される。同意書が提出されると、被験者４０−１から採血などによって得られた検体が、医療機関２０に提出される（Ｓ１６）。
【００６４】
また、制御部２３０によって、検体ＩＤが発行され、検体ＩＤと患者ＩＤとが対応付けられ（Ｓ１７）、医療機関２０から遺伝子解析会社１０に所定の情報が付された検体が輸送される（Ｓ１８）。所定の情報はどのような情報か限定されないが、所定の情報には、少なくとも検体ＩＤが含まれてよい。このとき、また、所定の情報には、同意条件および健診情報が付されていてもよく、かかる場合には、同意条件登録部１３１によって同意条件が登録され、健診情報登録部１３２によって健診情報が登録されてよい。
【００６５】
続いて、取得部１３３は、上記した検体に付された所定の情報を取得し、判定部１３４は、所定の情報に被験者４０の個人情報が設定されているか否かを判定する。図１１および図１２に示した例では、所定の情報に被験者４０の個人情報が設定されていない場合を想定する。
【００６６】
続いて、遺伝子解析会社１０によって、検体ＩＤが付された検体が検査ラボ３０に輸送され（Ｓ１９）、検査機関端末３０において制御部３３０によって検体に対する遺伝子解析が行われる。制御部３３０は、遺伝子解析によって得られた遺伝子情報に検体ＩＤを含め、通信部３８０は、検体ＩＤを含んだ遺伝子情報を情報処理装置１０に送信する（Ｓ２０）。
【００６７】
情報処理装置１０においては、通信部１８０によって遺伝子情報が受信されると、遺伝子情報登録部１４１によって遺伝子情報が登録される。そして、遺伝子解析部１４２は、遺伝子情報を解析することによって遺伝解析結果が取得され、レポート生成部１４３によって遺伝子解析結果を含んだ遺伝子解析レポートが生成される。遺伝子解析レポートの生成には、健診情報が参照されてもよい。また、遺伝子解析レポートには、検体ＩＤが含められてよい。ここで、解析結果提供部１４５は、判定部１３４によって所定の情報に被験者４０の個人情報が設定されていないと判定された場合には、個人情報を含まない遺伝子解析レポートを医療機関端末２０に対して提供すればよい。
【００６８】
遺伝子解析レポートは、通信部１８０によって医療機関端末２０に送信される（Ｓ２１）。また、Ｗｅｂ  ＩＤ生成部１３５は、Ｗｅｂ  ＩＤを発行し、発行したＷｅｂ  ＩＤと検体ＩＤとを対応付ける（Ｓ２２）。Ｗｅｂ  ＩＤはサービスの利用者識別情報の一例に過ぎないため、Ｗｅｂ  ＩＤの代わりに他の利用者識別情報が用いられてもよい。ここで、Ｗｅｂ  ＩＤ提供部１４４は、判定部１３４によって所定の情報に被験者４０の個人情報が設定されていないと判定された場合、検体ＩＤが付されたＷｅｂ  ＩＤを医療機関端末２０に提供すればよい（Ｓ２３）。
【００６９】
再び、被験者（結果説明）４０−２が医療機関２０を訪れ、診察券によって患者ＩＤを医療機関に伝えて受け付けを済ませると（Ｓ２４）、医療機関２０は、被験者４０−２に対して検査結果説明を行う（Ｓ２５）。医療機関端末２０において、Ｗｅｂ  ＩＤを被験者４０に手渡すと（Ｓ２６）、被験者（フォローアップ）４０−３は、Ｗｅｂ  ＩＤ、パスワード、個人情報および同意条件を用いて、Ｗｅｂサービスのユーザ登録を行うことが可能となる（Ｓ２７）。パスワードは暗証情報の一例に過ぎないため、パスワード以外の暗証情報が用いられてもよい。
【００７０】
情報処理装置１０においては、通信部１８０がサービス利用要求を受信すると、また、ユーザ登録部１５２は、Ｗｅｂ  ＩＤ、個人情報、パスワードおよび同意条件を登録し、Ｗｅｂ  ＩＤと個人情報とを対応付ける（Ｓ２８）。
【００７１】
続いて、被験者端末４０−３の通信部４８０によってＷｅｂ  ＩＤを含んだサービス利用要求が情報処理装置１０に送信されると、情報処理装置１０のＷｅｂサービス提供部１５１は、被験者端末４０にＷｅｂサービスを提供する。例えば、被験者端末４０−３の通信部４８０によってＷｅｂ  ＩＤおよびパスワードを用いたＷｅｂサービスアクセスが行われると（Ｗｅｂ  ＩＤおよびパスワードを含んだサービス利用要求が情報処理装置１０に送信されると）（Ｓ２９）、Ｗｅｂサービス提供部１５１は、被験者端末４０にＷｅｂサービスを提供することが可能である。
【００７２】
なお、ここでは、Ｗｅｂサービスが被験者端末４０に提供される例を示したが、被験者端末４０に提供されるサービスは、Ｗｅｂサービスに限定されない。また、被験者端末４０に提供されるサービスは、限定されないが、少なくとも被験者端末４０への遺伝子解析結果の送信を含んでもよい。また、情報処理装置１０は、被験者へのサービス提供の対価の課金に必要な個人情報を、Ｗｅｂサービスを通して入手することが可能である。
【００７３】
続いて、医療機関から遺伝子解析会社に個人情報が受け渡される場合について、図１３および図１４を参照しながら説明する。図１３は、医療機関から遺伝子解析会社に個人情報が受け渡される場合におけるデータの流れを示す図である。また、図１４は、医療機関から遺伝子解析会社に個人情報が受け渡される場合における情報処理システムの動作の流れを示すシーケンス図である。
【００７４】
なお、図１３および図１４において、遺伝子解析会社１０、医療機関２０、検査ラボ３０および被験者４０と記載されている箇所のうち、情報処理装置１０、医療機関端末２０、検査機関端末３０および被験者端末４０が実際に動作する箇所については、適宜に情報処理装置１０、医療機関端末２０、検査機関端末３０および被験者端末４０の動作として以下に記載する。また、図１３において、遺伝子解析会社１０が有する各機能部は、情報処理装置１０の制御部１３０が有している。
【００７５】
まず、被験者（健診時）４０−１は、医療機関２０において遺伝子解析の受け付けを済ませる（Ｓ１１）。このとき、被験者４０−１の個人情報が医療機関２０に提出される。医療機関端末２０においては、提出された個人情報が入力部２１０によって入力される。また、制御部２３０によって、被験者４０−１に向けて患者ＩＤが発行され、患者ＩＤと個人情報とが対応付けられる（Ｓ１２）。続いて、医療機関２０によって、患者ＩＤが付された診察券が被験者４０−１に手渡され（Ｓ１３）、医療機関２０によって被験者４０−１に遺伝子解析の事前説明が行われる（Ｓ１４）。
【００７６】
続いて、被験者４０−１から医療機関２０に同意書が提出されると（Ｓ１５）、医療機関端末２０においては、提出された同意書に含まれる同意条件が入力部２１０によって入力される。また、入力部２１０によって入力された被験者４０−１の健診情報は、医療機関端末２０の記憶部２２０によって記憶される。同意書が提出されると、被験者４０−１から採血などによって得られた検体が、医療機関２０に提出される（Ｓ１６）。
【００７７】
また、制御部２３０によって、検体ＩＤが発行され、検体ＩＤと患者ＩＤとが対応付けられ（Ｓ１７）、医療機関２０から遺伝子解析会社１０に所定の情報が付された検体が輸送される（Ｓ３１）。所定の情報はどのような情報か限定されないが、所定の情報には、少なくとも検体ＩＤが含まれてよい。このとき、また、所定の情報には、同意条件および健診情報が付されていてもよく、かかる場合には、同意条件登録部１３１によって同意条件が登録され、健診情報登録部１３２によって健診情報が登録されてよい。
【００７８】
また、制御部１３０は、個人情報と検体ＩＤとを対応付ける（Ｓ３９）。続いて、取得部１３３は、上記した検体に付された所定の情報を取得し、判定部１３４は、所定の情報に被験者４０の個人情報が設定されているか否かを判定する。図１３および図１４に示した例では、所定の情報に被験者４０の個人情報が設定されている場合を想定する。かかる場合、個人情報登録部１３６は、個人情報を登録してもよい。
【００７９】
続いて、遺伝子解析会社１０によって、検体ＩＤが付された検体が検査ラボ３０に輸送され（Ｓ１９）、検査機関端末３０において制御部３３０によって検体に対する遺伝子解析が行われる。制御部３３０は、遺伝子解析によって得られた遺伝子情報に検体ＩＤを含め、通信部３８０は、検体ＩＤを含んだ遺伝子情報を情報処理装置１０に送信する（Ｓ２０）。
【００８０】
情報処理装置１０においては、通信部１８０によって遺伝子情報が受信されると、遺伝子情報登録部１４１によって遺伝子情報が登録される。そして、遺伝子解析部１４２は、遺伝子情報を解析することによって遺伝解析結果が取得され、レポート生成部１４３によって遺伝子解析結果を含んだ遺伝子解析レポートが生成される。遺伝子解析レポートの生成には、健診情報が参照されてもよい。また、遺伝子解析レポートには、検体ＩＤが含められてよい。ここで、解析結果提供部１４５は、判定部１３４によって所定の情報に被験者４０の個人情報が設定されていると判定された場合には、個人情報を含んだ遺伝子解析レポートを医療機関端末２０に対して提供すればよい。
【００８１】
遺伝子解析レポートは、通信部１８０によって医療機関端末２０に送信される（Ｓ４０）。また、Ｗｅｂ  ＩＤ生成部１３５は、Ｗｅｂ  ＩＤを発行し、発行したＷｅｂ  ＩＤと個人情報とを対応付ける（Ｓ４１）。Ｗｅｂ  ＩＤはサービスの利用者識別情報の一例に過ぎないため、Ｗｅｂ  ＩＤの代わりに他の利用者識別情報が用いられてもよい。ここで、Ｗｅｂ  ＩＤ郵送先生成部１４６は、判定部１３４によって所定の情報に被験者４０の個人情報が設定されると判定された場合、Ｗｅｂ  ＩＤの郵送先情報を生成すればよい。
【００８２】
Ｗｅｂ  ＩＤの郵送先情報はどのように生成されてもよい。例えば、個人情報が被験者の住所情報を含んでいる場合には、Ｗｅｂ  ＩＤ郵送先生成部１４６は、個人情報から住所情報を抽出し、抽出した住所情報に基づいて郵送先情報を生成してよい。より具体的には、Ｗｅｂ  ＩＤ郵送先生成部１４６は、個人情報から住所情報および氏名を抽出し、抽出した住所情報および氏名によって郵送先情報を生成すればよい。
【００８３】
再び、被験者（結果説明）４０−２が医療機関２０を訪れ、診察券によって患者ＩＤを医療機関に伝えて受け付けを済ませると（Ｓ２４）、医療機関２０は、被験者４０−２に対して検査結果説明を行う（Ｓ２５）。遺伝子解析会社１０から郵送先情報に基づいてＷｅｂ  ＩＤが郵送されると（Ｓ４２）、被験者（フォローアップ）４０−３は、Ｗｅｂ  ＩＤ、パスワードおよび同意条件を用いて、Ｗｅｂサービスのユーザ登録を行うことが可能となる（Ｓ４３）。パスワードは暗証情報の一例に過ぎないため、パスワード以外の暗証情報が用いられてもよい。
【００８４】
情報処理装置１０においては、通信部１８０がサービス利用要求を受信すると、ユーザ登録部１５２は、Ｗｅｂ  ＩＤ、パスワードおよび同意条件を登録する（Ｓ４３）。
【００８５】
続いて、被験者端末４０−３の通信部４８０によってＷｅｂ  ＩＤを含んだサービス利用要求が情報処理装置１０に送信されると、情報処理装置１０のＷｅｂサービス提供部１５１は、被験者端末４０にＷｅｂサービスを提供する。例えば、被験者端末４０−３の通信部４８０によってＷｅｂ  ＩＤおよびパスワードを用いたＷｅｂサービスアクセスが行われると（Ｗｅｂ  ＩＤおよびパスワードを含んだサービス利用要求が情報処理装置１０に送信されると）（Ｓ２９）、Ｗｅｂサービス提供部１５１は、被験者端末４０にＷｅｂサービスを提供することが可能である。
【００８６】
なお、ここでは、Ｗｅｂサービスが被験者端末４０に提供される例を示したが、被験者端末４０に提供されるサービスは、Ｗｅｂサービスに限定されない。また、被験者端末４０に提供されるサービスは、限定されないが、少なくとも被験者端末４０への遺伝子解析結果の送信を含んでもよい。また、情報処理装置１０は、被験者へのサービス提供の対価の課金や即時連絡に必要な情報を、Ｗｅｂサービスを通して入手することが可能である。
【００８７】
続いて、本開示の実施形態の応用例について図１５を参照しながら説明する。図１５は、本開示の実施形態の応用例における情報処理システムの動作の流れを示すシーケンス図である。
【００８８】
なお、図１５において、遺伝子解析会社１０、医療機関２０、検査ラボ３０および被験者４０と記載されている箇所のうち、情報処理装置１０、医療機関端末２０、検査機関端末３０および被験者端末４０が実際に動作する箇所については、適宜に情報処理装置１０、医療機関端末２０、検査機関端末３０および被験者端末４０の動作として以下に記載する。
【００８９】
まず、被験者（健診時）４０−１は、Ｗｅｂ受付によって情報処理装置１０に対して個人情報および選択医療機関を通知する（Ｓ５１）。情報処理装置１０においては、Ｗｅｂ  ＩＤを発行し、個人情報とＷｅｂ  ＩＤとを対応付ける（Ｓ４１）。続いて、情報処理装置１０は、選択医療機関が示す医療機関２０に個人情報に基づいて遺伝子解析の予約を入れ（Ｓ５２）、Ｗｅｂ  ＩＤの郵送先情報を生成する。
【００９０】
郵送先情報に基づいて、Ｗｅｂ  ＩＤが被験者４０に郵送されると（Ｓ４２）、被験者４０は、医療機関２０を訪れ、郵送されたＷｅｂ  ＩＤと個人情報とを用いて、医療機関２０にて受け付けを済ませる（Ｓ５３）。以降の動作については、図１４に示した、医療機関から遺伝子解析会社に個人情報が受け渡される場合における情報処理システムの動作の流れを示すシーケンス図と同様であるため、説明を省略する。
【００９１】
以上、本開示の実施形態に係る情報処理システムの機能詳細について説明した。
【００９２】
［１−７．ハードウェア構成例］
続いて、本開示の実施形態に係る情報処理装置１０のハードウェア構成例について説明する。図１６は、本開示の実施形態に係る情報処理装置１０のハードウェア構成例を示す図である。ただし、図１６に示したハードウェア構成例は、情報処理装置１０のハードウェア構成の一例を示したに過ぎない。したがって、情報処理装置１０のハードウェア構成は、図１６に示した例に限定されない。
【００９３】
図１６に示したように、情報処理装置１０は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、入力装置９０８と、出力装置９１０と、ストレージ装置９１１と、ドライブ９１２と、通信装置９１５とを備える。
【００９４】
ＣＰＵ９０１は、演算処理装置および制御装置として機能し、各種プログラムに従って情報処理装置１０内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバスなどから構成されるホストバス１５６により相互に接続されている。
【００９５】
入力装置９０８は、マウス、キーボード、タッチパネル、ボタン、マイクロフォン、スイッチおよびレバーなどユーザが情報を入力するための入力部と、ユーザによる入力に基づいて入力信号を生成し、ＣＰＵ９０１に出力する入力制御回路などから構成されている。情報処理装置１０のユーザは、該入力装置９０８を操作することにより、情報処理装置１０に対して各種のデータを入力したり処理動作を指示したりすることができる。
【００９６】
出力装置９１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置９１０は、スピーカおよびヘッドホンなどの音声出力装置を含む。例えば、表示装置は、撮像された画像や生成された画像などを表示する。一方、音声出力装置は、音声データ等を音声に変換して出力する。
【００９７】
ストレージ装置９１１は、情報処理装置１０の記憶部の一例として構成されたデータ格納用の装置である。ストレージ装置９１１は、記憶媒体、記憶媒体にデータを記録する記録装置、記憶媒体からデータを読み出す読出し装置および記憶媒体に記録されたデータを削除する削除装置などを含んでもよい。このストレージ装置９１１は、ＣＰＵ９０１が実行するプログラムや各種データを格納する。
【００９８】
ドライブ９１２は、記憶媒体用リーダライタであり、情報処理装置１０に内蔵、あるいは外付けされる。ドライブ９１２は、装着されている磁気ディスク、光ディスク、光磁気ディスク、または半導体メモリ等のリムーバブル記憶媒体に記録されている情報を読み出して、ＲＡＭ９０３に出力する。また、ドライブ９１２は、リムーバブル記憶媒体に情報を書き込むこともできる。
【００９９】
通信装置９１５は、例えば、ネットワークに接続するための通信デバイス等で構成された通信インタフェースである。また、通信装置９１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。通信装置９１５は、例えば、ネットワークを介して他の装置と通信を行うことが可能である。
【０１００】
以上、本開示の実施形態に係る情報処理装置１０のハードウェア構成例について説明した。なお、ここでは、本開示の実施形態に係る情報処理装置１０のハードウェア構成例について説明したが、医療機関端末２０、検査機関端末３０および被験者端末４０それぞれのハードウェア構成としても、図１６に示したようなハードウェア構成を採用することが可能である。
＜＜２．むすび＞＞
以上説明したように、本開示の実施形態によれば、遺伝子解析会社から提供される遺伝子解析サービスだけではなく、医療機関の専門家によるコンサルテーションサービスも被験者が受けられるようにすることが可能となる。このとき、遺伝子解析会社と医療機関との間の連携がより効率的に行われるようにすることが可能となる。
【０１０１】
より具体的には、本開示の実施形態によれば、医療機関から遺伝子解析会社に個人情報が受け渡されない場合と医療機関から遺伝子解析会社に個人情報が受け渡される場合とに関わらず、遺伝子解析会社から被験者へのフォローアップサービスが提供され得る。また、フォローアップサービス提供時に、被験者へのサービス提供の対価の課金や即時連絡に必要な情報を入手することが可能である。
【０１０２】
なお、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１０３】
また、コンピュータに内蔵されるＣＰＵ、ＲＯＭおよびＲＡＭなどのハードウェアを、上記した情報処理装置１０が有する構成と同等の機能を発揮させるためのプログラムも作成可能である。また、該プログラムを記録した、コンピュータに読み取り可能な記録媒体も提供され得る。
【０１０４】
また、コンピュータに内蔵されるＣＰＵ、ＲＯＭおよびＲＡＭなどのハードウェアを、上記した医療機関端末２０が有する構成と同等の機能を発揮させるためのプログラムも作成可能である。また、該プログラムを記録した、コンピュータに読み取り可能な記録媒体も提供され得る。
【０１０５】
また、コンピュータに内蔵されるＣＰＵ、ＲＯＭおよびＲＡＭなどのハードウェアを、上記した検査機関端末３０が有する構成と同等の機能を発揮させるためのプログラムも作成可能である。また、該プログラムを記録した、コンピュータに読み取り可能な記録媒体も提供され得る。
【０１０６】
また、コンピュータに内蔵されるＣＰＵ、ＲＯＭおよびＲＡＭなどのハードウェアを、上記した被験者端末４０が有する構成と同等の機能を発揮させるためのプログラムも作成可能である。また、該プログラムを記録した、コンピュータに読み取り可能な記録媒体も提供され得る。
【０１０７】
また、例えば、情報処理システムの動作は、必ずしもシーケンス図またはフローチャートに記載された順序に沿って時系列になされる必要はない。例えば、情報処理システムの動作は、シーケンス図またはフローチャートに記載した順序と異なる順序でなされてもよいし、シーケンス図またはフローチャートに記載された動作の少なくとも一部が並列的になされてもよい。
【０１０８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０９】
なお、以下のような構成も本開示の技術的範囲に属する。
（１）
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を医療機関端末に対して提供する識別情報提供部と、
を備える、情報処理装置。
（２）
前記所定の情報は、少なくとも前記被験者から採取された検体を識別するための検体識別情報を含む、
前記（１）に記載の情報処理装置。
（３）
前記識別情報提供部は、前記利用者識別情報とともに前記検体識別情報を前記医療機関端末に提供する、
前記（２）に記載の情報処理装置。
（４）
前記情報処理装置は、
前記所定の情報に前記被験者の前記個人情報が設定されていると判定された場合、前記被験者のサービス利用時に必要となる利用者識別情報の郵送先情報を生成する郵送先生成部を備える、
前記（１）〜（３）のいずれか一項に記載の情報処理装置。
（５）
前記個人情報は、少なくとも前記被験者の住所情報を含む、
前記（４）に記載の情報処理装置。
（６）
前記郵送先生成部は、前記個人情報から抽出された前記住所情報に基づいて前記郵送先情報を生成する、
前記（５）に記載の情報処理装置。
（７）
前記情報処理装置は、
前記所定の情報に前記被験者の前記個人情報が設定されていないと判定された場合、前記個人情報を含まない遺伝子解析結果を前記医療機関端末に対して提供する解析結果提供部を備える、
前記（１）〜（６）のいずれか一項に記載の情報処理装置。
（８）
前記解析結果提供部は、前記所定の情報に前記被験者の前記個人情報が設定されていると判定された場合、前記個人情報を含んだ前記遺伝子解析結果を前記医療機関端末に対して提供する、
前記（７）に記載の情報処理装置。
（９）
前記情報処理装置は、
検査機関端末から取得された遺伝子情報を解析することによって前記遺伝子解析結果を取得する解析部を備える、
前記（７）または（８）に記載の情報処理装置。
（１０）
前記解析部は、前記遺伝子情報に設定されている検体識別情報を前記遺伝子解析結果に含める、
前記（９）に記載の情報処理装置。
（１１）
前記遺伝子情報は、前記被験者から採取された検体が有する遺伝子を特定するための情報を含む、
前記（９）または（１０）に記載の情報処理装置。
（１２）
前記遺伝子解析結果は、少なくとも前記被験者の所定の病気への掛かり易さを示す情報を含む、
前記（７）〜（１１）のいずれか一項に記載の情報処理装置。
（１３）
前記情報処理装置は、
被験者端末から前記利用者識別情報を含むサービス利用要求が受信された場合、前記被験者端末に前記サービスを提供するサービス提供部を備える、
前記（１）〜（１２）のいずれか一項に記載の情報処理装置。
（１４）
前記被験者端末に提供される前記サービスは、少なくとも前記被験者端末への遺伝子解析結果の送信を含む、
前記（１３）に記載の情報処理装置。
（１５）
前記情報処理装置は、
前記被験者端末から前記利用者識別情報および暗証情報を含むユーザ登録要求が受信された場合、前記利用者識別情報および前記暗証情報を登録するユーザ登録部を備え、
前記サービス提供部は、前記利用者識別情報および前記暗証情報を含む前記サービス利用要求が受信された場合、前記被験者端末に前記サービスを提供する、
前記（１３）または（１４）に記載の情報処理装置。
（１６）
所定の情報を取得することと、
前記所定の情報に被験者の個人情報が設定されているか否かを判定することと、
前記所定の情報に前記被験者の前記個人情報が設定されていないと判定された場合、前記被験者のサービス利用時に必要となる利用者識別情報を医療機関端末に対して提供することと、
を含む、情報処理方法。
（１７）
コンピュータを、
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を医療機関端末に対して提供する識別情報提供部と、
を備える情報処理装置として機能させるためのプログラム。
（１８）
所定の情報を取得するデータ取得部と、
前記所定の情報に被験者の個人情報が設定されているか否かを判定する判定部と、
前記所定の情報に前記被験者の前記個人情報が設定されていないと判定された場合、前記被験者のサービス利用時に必要となる利用者識別情報を提供する識別情報提供部と、
を備える、情報処理装置と、
前記情報処理装置から前記利用者識別情報を受信する通信部、
を備える、医療機関端末と、
前記利用者識別情報を含むサービス利用要求を前記情報処理装置に送信する通信部、
を備える、被験者端末と、
を有する、情報処理システム。
【符号の説明】
【０１１０】
１０    情報処理装置（遺伝子解析会社）
１１０  入力部
１２０  記憶部
１３０  制御部
１３１  同意条件登録部
１３２  健診情報登録部
１３３  取得部
１３４  判定部
１４１  遺伝子情報登録部
１４２  遺伝子解析部
１４３  レポート生成部
１４５  解析結果提供部
１３５  Ｗｅｂ  ＩＤ生成部
１４４  Ｗｅｂ  ＩＤ提供部
１５２  ユーザ登録部
１５１  Ｗｅｂサービス提供部
１３６  個人情報登録部
１４６  Ｗｅｂ  ＩＤ郵送先生成部
１８０  通信部
１９０  出力部
２０    医療機関端末（医療機関）
２１０  入力部
２２０  記憶部
２３０  制御部
２８０  通信部
２９０  出力部
３０    検査機関端末（検査ラボ）
３１０  入力部
３２０  記憶部
３３０  制御部
３８０  通信部
３９０  出力部
４０    被験者端末（被験者）
４１０  入力部
４２０  記憶部
４３０  制御部
４８０  通信部
４９０  出力部
【図１】
2016076004.tif 000003
【図２】
2016076004.tif 000004
【図３】
2016076004.tif 000005
【図４】
2016076004.tif 000006
【図５】
2016076004.tif 000007
【図６】
2016076004.tif 000008
【図７】
2016076004.tif 000009
【図８】
2016076004.tif 000010
【図９】
2016076004.tif 000011
【図１０】
2016076004.tif 000012
【図１１】
2016076004.tif 000013
【図１２】
2016076004.tif 000014
【図１３】
2016076004.tif 000015
【図１４】
2016076004.tif 000016
【図１５】
2016076004.tif 000017
【図１６】
2016076004.tif 000018
【国際調査報告】
2016076004.tif 000019
2016076004.tif 000020
2016076004.tif 000021
2016076004.tif 000022